(57)【特許請求の範囲】
【請求項１】
ベッドフレームに設けられた１対の筒状の取着用孔を利用して、ベッド用側柵を前記ベッドフレームに固定するベッド用側柵の固定部材において、
前記側柵に軸方向を垂直にして設けられた円筒状の１対の支持部材と、
前記各支持部材内に一部が挿入され、残部が前記支持部材から下方に延出し、前記支持部材に傾動可能に支持された１対の脚部と、
前記支持部材間の中間部にて、前記側柵に固定された支持柱と、
基端部が前記支持柱に第１の回転軸を介して軸支され、先端部にラチェットの歯止めが設けられたレバーと、
前記レバーが前記第１の回転軸を中心として揺動する際の前記歯止めの移動軌跡に沿って設けられた平歯車を備えたラチェット棒と、
基端部が前記レバーの前記基端部における前記第１の回転軸から離隔する位置に設けられた第２の回転軸に回転可能に連結され、先端部が一方の前記脚部の上部に連結された第１の連結レバーと、
基端部が前記レバーの前記基端部における前記第１の回転軸から離隔する位置に設けられた第３の回転軸に回転可能に連結され、先端部が他方の前記脚部の上部に連結された第２の連結レバーと、
を有し、
前記レバーの揺動により、前記第２の回転軸及び前記第３の回転軸は、前記第１の回転軸の周りに、同時に同一方向に公転して、前記第１の連結レバーと前記第２の連結レバーとを相反する方向に移動させることを特徴とするベッド用側柵の固定部材。
【請求項２】
前記ラチェット棒の上部に設けられ、前記歯止めを係合して、前記歯止めをその上位置に保持する凹部を有することを特徴とする請求項１に記載のベッド用側柵の固定部材。
【請求項３】
前記第１の連結レバー及び前記第２の連結レバーは、夫々、基端部側の第１レバーと、この第１レバーに螺合する先端部側の第２レバーと、前記脚部の上部を係止する係止片とが一体的に構成されたものであり、前記第１レバーと前記第２レバーとの螺合位置を調節することにより、前記第１の連結レバーの前記第２の回転軸からその前記係止片までの長さ及び前記第２の連結レバーの前記第３の回転軸からその前記係止片までの長さを調節可能であることを特徴とする請求項１又は２に記載のベッド用側柵の固定部材。
【請求項４】
前記第１の連結レバー及び前記第2の連結レバーは、いずれも、一体物で構成されていることを特徴とする請求項１又は２に記載のベッド用側柵の固定部材。
【発明の詳細な説明】
【技術分野】
【０００１】
本発明は、ベッドの側柵をベッド側部に着脱自在に設置するために、ベッド側部に設けた筒状の１対の取着用孔内に、夫々ベッド用側柵の脚棒を挿入し、１対の脚棒間の間隔を調整することにより、脚棒の外面と取着用孔内面との間の摩擦により前記脚棒を前記取着用孔内に固定するベッド用側柵の固定部材に関する。
【背景技術】
【０００２】
ベッドの側部には、ベッドからベッド使用者が落下しないようにするために、側柵が設置されるようになっている。また、この側柵は、医師の治療行為及び看護師又は介護士の看護・介護行為を妨げないようにするため、必要な場合には、取り外しすることができるようになっている。このように、側柵をベッド側部に取り付けるために、ベッド側部の側柵取り付け位置に、１対の筒状の取着用孔を設置し、ベッド側柵の下縁部に、１対の脚棒を略平行に設け、各脚棒を夫々取着用孔内に挿入すると共に、脚棒間の間隔を広げて脚棒を取着用孔の内面に押圧することにより、摩擦により脚棒を取着用孔に固定する。また、側柵をベッド側部から取り外すためには、脚棒の取着用孔への押圧を解除することができるようになっている。
【０００３】
図４は、従来のベッド用側柵の固定部材を示す図である。側柵のフレーム１に、円筒状の１対の支持部材３，４がその長手方向を垂直にして固定されている。この支持部材３，４内には、棒状の脚部７，８の上部７ａ、８ａが挿入されている。この脚部７，８は、上部７ａ、８ａと、下部７ｂ、８ｂとの中間部にて、回転軸７ｃ、８ｃにより、支持部３，４に回動可能に支持されている。そして、支持部材３，４には、ノブ９８，９９がその回転軸を水平にして取り付けられており、ノブ９８，９９を回転させてノブ９８，９９を支持部材３，４内に押し込むことにより、上部７ａ、８ａを介して、脚部７，８を傾動させることができる。これにより、脚部７，８の下部７ｂ、８ｂが、取着用孔内で図４に示すように相反する方向に傾動し、下部７ｂ、８ｂが取着用孔の内面に押圧されて、脚部７，８が取着用孔に固定される。ノブ９８，９９を逆に回転させると、下部７ｂ、８ｂが逆方向に傾動して、下部７ｂ、８ｂが取着用孔から緩み、側柵を取り外すことができる。
【０００４】
一方、特許文献１に記載の従来技術においては、いずれかの一方の脚棒を、上部と下部とに区画し、脚部上部は側柵の下縁部にその中心軸の周りに回転可能に取り付け、この脚部上部に対して、脚部下部をその中心軸が偏心するように連結して、構成されている。そして、脚部下部を取着用孔内に挿入し、この脚部下部に固定された操作ハンドル（レバー）を介して前記脚部下部を回転させることにより、偏心した脚部下部と、他方の脚部との間の間隔を変化させ、脚部下部を取着用孔に押圧して、摩擦力により脚部と取着用孔とを固定している。なお、この操作ハンドルは、側柵に固定された保持装置に設けた凹部に弾性的に嵌まり込むことにより、脚部が固定状態のときに、所定位置に保持されるようになっている。
【０００５】
また、特許文献２に記載の従来技術においては、図４に示す従来技術に対し、支持部材３，４内の上部７ａ、８ａの上端部をノブ９８，９９で押す代わりに、上部７ａ、８ａに連結する１対の水平の部材を設け、この水平部材間をノブにより連結したものであり、この１個のノブを回転させて、水平部材を水平方向に移動させることにより、脚部７，８を傾動させている。
【先行技術文献】
【特許文献】
【０００６】
【特許文献１】特開２０１２−７０７６７
【特許文献２】特開２００２−１３６５５５
【発明の概要】
【発明が解決しようとする課題】
【０００７】
しかしながら、図４に示す従来技術においては、ノブ９８，９９を回転させる手間があり、ノブ９８，９９を回転させる力が作業者により異なり、ノブ９８，９９を押し込む力が足りず、側柵の取着用孔への固定力が不足してしまう虞がある。
【０００８】
また、特許文献１の従来技術の場合は、操作ハンドルを手前に引いて回転させる必要があり、そのための空間を側柵の前面に設ける必要がある。また、この特許文献１に記載の従来技術においては、操作ハンドルにより、偏心した脚部下部を回転させて、この脚部下部と取着用孔との固定及び固定解除を行っているが、脚部の固定状態では、操作ハンドルは単に凹部に嵌め込まれてその位置に保持されているだけであるので、外力が作用したときに操作ハンドルが容易に凹部から外れてしまうという問題点がある。操作ハンドルが不用意に所定の保持位置から外れてしまうと、操作ハンドルがベッドのフレーム側にまで回転してしまい、ベッドフレーム又は側柵の破損が生じる可能性がある。
【０００９】
更に、特許文献２に記載の従来技術においては、図４の場合と同様に、ノブを回転させて、脚部を傾動させるため、側柵の取着用孔への固定力が不足してしまう虞がある。このように、固定力を十分に確保することができないので、特許文献２においては、別のねじ止め機構を設けており、効率が悪いという難点がある。
【００１０】
本発明はかかる問題点に鑑みてなされたものであって、脚部を傾動させて取着用孔に押圧固定するための操作部材を、小さな力で確実に操作することができ、また、操作部材が不用意に動いてしまうことを防止でき、側柵を確実に固定することができると共に、レバーが水平に回ることがなく省スペースであるベッド用側柵の固定部材を提供することを目的とする。
【課題を解決するための手段】
【００１１】
本発明に係るベッド用側柵の固定部材は、
ベッドフレームに設けられた１対の筒状の取着用孔を利用して、ベッド用側柵を前記ベッドフレームに固定するベッド用側柵の固定部材において、
前記側柵に軸方向を垂直にして設けられた円筒状の１対の支持部材と、
前記各支持部材内に一部が挿入され、残部が前記支持部材から下方に延出し、前記支持部材に傾動可能に支持された１対の脚部と、
前記支持部材間の中間部にて、前記側柵に固定された支持柱と、
基端部が前記支持柱に第１の回転軸を介して軸支され、先端部にラチェットの歯止めが設けられたレバーと、
前記レバーが前記第１の回転軸を中心として揺動する際の前記歯止めの移動軌跡に沿って設けられた平歯車を備えたラチェット棒と、
基端部が前記レバーの前記基端部における前記第１の回転軸から離隔する位置に設けられた第２の回転軸に回転可能に連結され、先端部が一方の前記脚部の上部に連結された第１の連結レバーと、
基端部が前記レバーの前記基端部における前記第１の回転軸から離隔する位置に設けられた第３の回転軸に回転可能に連結され、先端部が他方の前記脚部の上部に連結された第２の連結レバーと、
を有し、
前記レバーの揺動により、前記第２の回転軸及び前記第３の回転軸は、前記第１の回転軸の周りに、同時に同一方向に公転して、前記第１の連結レバーと前記第２の連結レバーとを相反する方向に移動させることを特徴とする。
【００１２】
このベッド用側柵の固定部材において、例えば、
前記ラチェット棒の上部に設けられ、前記歯止めを係合して、前記歯止めをその上位置に保持する凹部を有するように構成することができる。
【００１３】
また、前記第１の連結レバー及び前記第２の連結レバーは、夫々、基端部側の第１レバーと、この第１レバーに螺合する先端部側の第２レバーと、前記脚部の上部を係止する係止片とが一体的に構成されたものであり、前記第１レバーと前記第２レバーとの螺合位置を調節することにより、前記第１の連結レバーの前記第２の回転軸からその前記係止片までの長さ及び前記第２の連結レバーの前記第３の回転軸からその前記係止片までの長さを調節可能であるように構成することができる。又は、前記第１の連結レバー及び前記第２の連結レバーは、いずれも、一体物で構成してもよい。
【発明の効果】
【００１４】
本発明によれば、１対の脚部が傾動することにより、これらの脚部の下端の相互間隔が変化して、取着用孔との間の押圧力が変化し、押圧力が高い状態で、前記脚部を前記取着用孔に固定することができ、押圧力が小さい状態で、前記脚部を前記取着用孔から抜き出すことができる。
【００１５】
この場合に、本発明においては、レバーを揺動させるだけで、前記脚部を相互に相反する方向に傾動させることができるので、前記レバーとして、大きなものを使用し、前記レバーの把持部と前記第１の回転軸との間の長さと、前記第１の連結レバーの長さ又は前記第２の連結レバーの長さとのリンク比を大きくすることができ、これにより、小さな力で確実に脚部を取着用孔に押圧固定することができる。
【００１６】
そして、本発明においては、前記レバーをその固定位置に確実に固定することができるので、側柵が不用意に抜け出てしまうことがない。
【図面の簡単な説明】
【００１７】
【図１】本発明の実施形態の固定部材を示す正面図である。
【図２】（ａ）、（ｂ）は同じくその動作を示す正面図である。
【図３】（ａ）、（ｂ）は同じく使用状態の側柵を示す正面図である。
【図４】従来の固定部材を示す正面図である。
【発明を実施するための形態】
【００１８】
以下、本発明の実施形態について、添付の図面を参照して具体的に説明する。図１は、本発明の第１実施形態の固定部材を示す正面図、図２（ａ）、（ｂ）はその動作を示す図、図３（ａ）、（ｂ）は固定部材が取り付けられたベッド用側柵の全体を示す正面図である。側柵のフレーム１における下端にて水平に延びる部分に、１対の円筒状の支持部材３，４がその中心軸を垂直にして固定されている。そして、これらの支持部材３，４間のほぼ中央の位置に、支持柱２がその長手方向を垂直にして固定されている。支持部材３，４には、棒状の脚部７，８が、その上部７ａ、８ａを支持部材３，４内に挿入して、回転軸７ｃ、８ｃにより回転可能に設置されている。即ち、上部７ａ、８ａは、回転軸７ｃ、８ｃにより、支持部材３，４内で若干傾動可能に、遊嵌されている。脚部７、８の下部７ｂ、８ｂは、ベッドフレームに立設固定された円筒状の取着用孔内に挿入される。なお、下部７ｂ、８ｂは、支持部材３，４内における上部７ａ、８ａと同様に、この取着用孔内で遊嵌されている。また、回転軸７ｃ、８ｃよりも下方の下部７ｂ、８ｂの方が上部７ａ，８ａよりも重い。
【００１９】
支持柱２には、その下端部に、回動軸１０が回転中心を水平にして設置されており、この回動軸１０に、弓形をなすレバー２０の基端部が取り付けられており、従って、レバー２０が水平軸の周りに揺動することができるようになっている。このレバー２０の先端部には、握持部２１が設けられており、握持部２１を握持しやすいように、波状部２２が形成されている。そして、レバー２０における握持部２１側の部分には、ラチェットの歯止め３１が回動可能に取り付けられており、この歯止め３１はレバー３２により回動操作される。そして、レバー２０が揺動する際の歯止め３１の移動軌跡には、弓状に湾曲する平歯車３０が形成されたラチェット棒９が配置されて、フレーム１に固定されている。このラチェット棒９の上部には、レバー２０の保持用の凹部３３が形成されている。このラチェット棒９の平歯車３０に、ラチェットの歯止め３１が噛み合うようになっており、この歯止め３１が平歯車３０に噛み合った状態で、レバー２０がそれより上方に揺動しないように、歯止め３１が係止される。レバー３２により歯止め３１を持ち上げることにより、歯止め３１と平歯車３０との噛み合いが外れる。
【００２０】
レバー２０の基端部は、前述のごとく、回動軸１０により、支持柱２に揺動可能に支持されているが、このレバー２０における回動軸１０の近傍であって回動軸１０よりも若干下方の位置に、回動軸１１が設けられている。そして、この回動軸１１に連結レバー５の基部５ａが回動可能に連結されており、連結レバー５の先端部５ｂが脚部７の上部７ａの上部に連結されている。一方、レバー２０における回動軸１０の近傍であって回動軸１０よりも若干上方の位置に、回動軸１２が設けられている。この回動軸１２に連結レバー６の基部６ａが回動可能に連結されており、連結レバー６の先端部６ｂが脚部８の上部８ａの上部に連結されている。なお、連結レバー５の先端部５ｂ及び連結レバー６の先端部６ｂは、夫々、脚部７の上部７ａ及び脚部８の上部８ａを若干の隙間を有して貫通し、先端部５ｂ及び先端部６ｂにおける上部７ａ及び８ａより外側の位置に固定された係止片５ｃ及び６ｃにより、上部７ａ及び８ａは係止片５ｃ及び６ｃより外側に抜け出ないように係止されている。よって、上部７ａ、８ａは係止片５ｃ、６ｃよりも外側には移動しないが、係止片５ｃ、６ｃよりも内側には若干移動することができる。そして、回動軸１１及び回動軸１２は、回動軸１０を間に挟んで、例えば、回動軸に対して同距離の位置に設けられている。このため、レバー２０が下方に揺動する過程では、回動軸１１及び回動軸１２は、回動軸１０の周りに図１の反時計方向に公転することになる。逆に、レバー２０が上方に揺動する過程では、回動軸１１及び回動軸１２は、回動軸１０の周りに時計方向に公転することになる。そして、回動軸１１及び回動軸１２が回動軸１０の周りに反時計方向に公転した場合には、連結レバー５及び連結レバー６は、相互に接近する方向に移動し、脚部７及び脚部８の上部７ａ及び上部８ａを相互に接近する方向に引き寄せる。逆に、回動軸１１及び回動軸１２が回動軸１０の周りに時計方向に公転した場合には、連結レバー５及び連結レバー６は、相互に離隔する方向に移動し、脚部７及び脚部８の上部７ａ及び上部８ａを相互に離隔する方向に引き離す。
【００２１】
なお、図３に示すように、側柵のアーム１の一部の部分は、カバー１００で覆われており、ベッド上の患者がレバー２０の作動等によりけがをしないように、保護するようになっている。
【００２２】
次に、上述のごとく構成された本実施形態のベッド用側柵の固定部材の動作について説明する。図２（ａ）に示すように、レバー２０が上方に位置している場合には、そのラチェットの歯止め３１はラチェット棒９の上部の凹部３３に係合しており、この状態で、側柵を持ち運ぶ。歯止め３１が凹部３３に係合しているので、持ち運びの間に、レバー２０が不用意に降下してしまうことがない。そして、レバー２０が上方に位置しているときは、回転軸１１，１２は、連結レバー５、６を介して、脚部７，８の上部７ａ、８ａを拘束する位置にはない。即ち、連結レバー５，６の係止片５ｃ、６ｃは、上部７ａ，８ａの外側にこれらを非拘束状態で位置している。このため、脚部７，８は、回転軸７ｃ、８ｃよりも下方の下部７ｂ、８ｂの方が上部７ａ、８ａよりも重いために、重力により鉛直方向に整列しており、脚部７，８の下部７ｂ、８ｂは相互に平行の状態にある。よって、この状態で、側柵の脚部下部７ｂ、８ｂを、ベッドフレームの取着用孔に容易に挿入することができ、側柵をベッドフレームに装着することができる。側柵をベッドフレームから取り外す場合も同様である。なお、脚部７，８は、非拘束状態であるため、通常は、重力により鉛直方向に向いて相互に平行な姿勢となっているが、側柵の設置精度（支持部材３，４の位置及び姿勢との間のズレ）及びベッドフレームの取着用孔の設置精度（支持部材３，４の位置及び姿勢との間のズレ）が存在しても、これに合わせて傾動し、側柵の脚部下部７ｂ、８ｂをベッドの取着用孔に容易に挿入することができる。なお、脚部７，８の取着用孔への挿入時の姿勢は、必ずしも平行に限らず、挿入が可能であれば、傾斜していても良い。
【００２３】
次に、脚部下部７ｂ、８ｂが取着用孔内に挿入されている状態で、歯止め３１をレバー３２により回動させて凹部３３から外し、図２（ｂ）に示すように、レバー２０を下方に揺動させる。そうすると、回動軸１１，１２は、回動軸１０の周りに反時計方向に公転し、連結レバー５、６が相互に支持柱２寄りに移動する。これにより、脚部７，８の上部７ａ、８ａが接近移動し、下部７ｂ、８ｂが広がり、取着用孔内にてその内面に押圧される。これにより、下部７ｂ、８ｂが取着用孔に固定され、側柵がベッドフレームに固定され、側柵がベッドから不用意に外れてしまうことが防止される。このとき、ラチェットの歯止め３１がラチェットの平歯車３０に係止されるので、レバー３２を操作しない限り、レバー２０が上方に揺動してしまうことはなく、側柵は、ベッドフレームに確実に固定される。このレバー２０を下方に揺動させる力は、レバー２０の長さを十分に長くとれるために、小さな力で足り、固定力が不足することはない。
【００２４】
なお、部品としての連結レバー５，６等の製造精度が低い場合でも、歯止め３１の平歯車３０における固定位置を調整することにより、脚部７，８を傾動させる力を、取着用孔への固定力を十分確保できるものに調節することができる。また、連結レバー５，６の基部５ａ、６ａと、先端部５ｂ、６ｂとを、別体で製造し、基部５ａ、６ａを夫々先端部５ｂ、６ｂにねじ込んで連結して、棒状に一体化させる構造にすることにより、基部５ａ、６ａと先端部５ｂ、６ｂとのねじ込み量を変化させれば、連結レバー５，６の全体の長さを調節することができる。よって、歯止め３１のラチェット固定位置の調節で、固定力を調節できない場合は、連結レバー５，６の長さを調節して固定力を調整することができる。しかし、歯止め３１のラチェット固定位置の調節で、固定力を調節できる場合等、連結レバー５，６の長さを調節できる構造でなくても良い場合は、連結レバー５，６を一体物で形成しても良い。この場合は、装置コストを低減できる。なお、ラチェットの歯止め３１は、バネ等により、ラチェット棒９に向けて弾性的に付勢するように構成することが好ましい。これにより、歯止め３１を平歯車３０内に確実にとどめることができる。
【産業上の利用可能性】
【００２５】
本発明は、ベッド側柵のベッドフレームへの装着に際し、側柵の脚部を、確実にベッドフレームの取着用孔に固定することができ、小さな操作力で大きな固定力を出せるため、操作者の人為的な固定力の変動により、側柵の固定力が不足したりすることがない。このため、扱う人間が種々変動する病院又は介護施設等のベッド装置として、本発明は極めて有益である。
【符号の説明】
【００２６】
１：側柵
２：支持柱
３，４：支持部材
５，６：連結レバー
５ａ、６ａ：基部
５ｂ、６ｂ：先端部
５ｃ、６ｃ：係止片
７，８：脚部
７ａ、８ａ：上部
７ｂ、８ｂ：下部
９：ラチェット棒
２０：レバー
２１：握持部
３０：平歯車
３１：歯止め
３３：凹部
【図１】
0006612671.tif 000002
【図２】
0006612671.tif 000003
【図３】
0006612671.tif 000004
【図４】
0006612671.tif 000005